(57)【要約】【課題】高精度の穴明け加工を達成する。【解決手段】中心軸線ＣＬまわりに回転させられるドリル本体１０の先端側部分である刃部の外周面１３には、前記刃部の先端面１２に一対に形成された先端逃げ面１２ａ、１２ｂから基端側に向けて一条又は二条以上の主溝２０、３０が延設され、前記主溝のうち少なくとも一条の主溝のドリル回転方向Ｋ前方側を向く壁面２２、３２と前記先端逃げ面１２ａ、１２ｂとの交差稜線に形成された、前記ドリル本体１０の外周端まで延びる切刃２１と、前記少なくとも一条の主溝の外周縁に連結する刃部の外周面１３に形成された、加工穴の内周壁面に摺接可能なランド２３、３３と、を備え、前記ランドの少なくとも一部が、ドリル中心を通りかつ前記切刃２１に沿う方向に略直角な方向に延びる仮想直線Ａに対する角度（ドリル回転方向前方側を正とする。）が−３０°〜＋３０°の範囲に存在しているドリルを提供する。【選択図】図１
2010162645.tif 000002
【特許請求の範囲】
【請求項１】
中心軸線まわりに回転させられるドリル本体と、
前記ドリル本体の先端側部分である刃部の外周面に、前記刃部の先端面に形成された先端逃げ面から基端側に向けて延設された一条又は二条以上の主溝と、
前記主溝のうち少なくとも一条の主溝のドリル回転方向前方側を向く壁面と前記先端逃げ面との交差稜線に形成された、前記ドリル本体の外周端まで延びる切刃と、
前記少なくとも一条の主溝のリーディングエッジに連結する外周面に形成された、加工穴の内周壁面に摺接可能な少なくとも一つのランドと、を備え、
前記ランドの少なくとも一部が、ドリル中心を通りかつ前記切刃に沿う方向に略直角な方向に延びる仮想直線に対する角度（ドリル回転方向前方側を正とする。）が−３０°〜＋３０°の範囲に存在しているドリル。
【請求項２】
前記ランドの外周面の円周方向中間部には、前記外周面より内側に没入しかつ前記先端逃げ面から基端側へ向かって延びる少なくとも一条の凹溝が形成され、
前記凹溝によって分断されたランドのうちの少なくとも一つのランドが前記仮想直線に対する角度（ドリル回転方向前方側を正とする。）が−３０°〜＋３０°の範囲に存在している請求項１に記載のドリル。
【請求項３】
ドリル回転方向で最も後方側に配置されたランドのドリル回転方向後方端が、前記仮想直線に対する角度（ドリル回転方向前方側を正とする。）が−３０°〜＋３０°の範囲に存在している請求項１または２に記載のドリル。
【請求項４】
ドリル回転方向で最も後方側に配置されたランドのドリル回転方向後方端が、前記仮想直線に対する角度（ドリル回転方向前方側を正とする。）が−１０°〜＋１０°の範囲に存在している請求項３に記載のドリル。
【請求項５】
ドリル回転方向で最も後方側に配置されたランドのドリル回転方向後方端が、前記仮想直線に対する角度（ドリル回転方向前方側を正とする。）が−１０°〜０°の範囲に存在している請求項３に記載のドリル。
【発明の詳細な説明】
【技術分野】
【０００１】
本発明は、被削材に穴明け加工を施すために用いられるドリルに関し、とくに、プリント配線板に穴明け加工するのに用いられるドリルに関するものである。
【背景技術】
【０００２】
一般に、プリント配線板に穴明け加工するドリルは、ドリル直径がきわめて小さい一方で、加工穴深さが前記ドリル直径にくらべきわめて大きい、いわゆるアスペクト比が大きいドリルである。従来からこの種のドリルとして多用されてきたのが二枚刃ドリルである。二枚刃ドリルは、二枚の切刃が該ドリルの中心軸線を基準にして対称的に配置されていることから、切削バランスが良好なドリルである。しかしながら、各切刃に連なる切屑排出溝によってドリル本体の剛性が低下するため、ドリル折損や加工穴精度の劣化といった問題が生じるおそれがある。ドリル本体の剛性を高めるためドリル本体の中心部の厚み（刃幅）又はドリル本体の外周部のランドを拡大すると、切屑が加工穴の内周壁面に接触してしまい前記内周壁面の面粗さが悪化するという問題が生じる。
【０００３】
一枚刃ドリルは、切屑排出溝を一条しか形成しない点で、切屑排出溝によるドリル本体の剛性低下を改善するのに有効である。（例えば、特許文献１参照。）この一枚刃ドリルは、ドリル本体の先端に、その実質的な中心から半径方向に沿って１つの切刃が形成されてなる。
【先行技術文献】
【特許文献】
【０００４】
【特許文献１】特開２００１−２７７１８９号公報
【発明の概要】
【発明が解決しようとする課題】
【０００５】
しかしながら、特許文献１に開示された一枚刃ドリルは、切刃が非対称であるため、二枚刃ドリルにくらべ切削バランスが悪い。そのため、ドリル本体の剛性が高められているものの、切削バランスの悪さに起因するドリル本体の撓みによって加工穴の位置精度や真円度といった加工精度が悪化するおそれがあった。
【０００６】
本発明は、上記問題を解決するためになされたもので、従来ドリルにくらべ高精度の穴明け加工を可能にするドリルを提供することを目的とする。
【課題を解決するための手段】
【０００７】
上記課題を解決するために、本発明は以下の手段を採用する。
すなわち、請求項１に係る発明は、中心軸線まわりに回転させられるドリル本体と、前記ドリル本体の先端側部分である刃部の外周面に、前記刃部の先端面に形成された先端逃げ面から基端側に向けて延設された一条又は二条以上の主溝と、前記主溝のうち少なくとも一条の主溝のドリル回転方向前方側を向く壁面と前記先端逃げ面との交差稜線に形成された、前記ドリル本体の外周端まで延びる切刃と、前記少なくとも一条の主溝のリーディングエッジに連結する外周面に形成された、加工穴の内周壁面に摺接可能な少なくとも一つのランドと、を備え、前記ランドの少なくとも一部が、ドリル中心を通りかつ前記切刃に沿う方向に略直角な方向に延びる仮想直線に対する角度（ドリル回転方向前方側を正とする。）が−３０°〜＋３０°の範囲に存在しているドリルである。
【０００８】
請求項１に係る発明によれば、先端稜に切刃を備えた少なくとも一条の主溝のリーディングエッジに連結する外周面には、加工穴の内周壁面に摺接可能な少なくとも一つのランドが備えられ、前記ランドの少なくとも一部が、ドリル中心を通りかつ前記切刃に沿う方向に略直角な方向に延びる仮想直線に対する角度（ドリル回転方向前方側を正とする。）が−３０°〜＋３０°の範囲に存在している。このため、前記ランドは、前記少なくとも一条の主溝と刃部の先端面との交差稜線に形成された切刃に沿う方向に対して略直角な方向にドリル本体を支持するガイド作用により、穴明け加工時に前記略直角な方向に作用する切削抵抗に起因するドリル本体の撓みを効果的に抑制する。
【０００９】
請求項２に係る発明は、前記ランドの外周面の円周方向中間部には、前記外周面より内側に没入しかつ前記先端逃げ面から基端側へ向かって延びる少なくとも一条の凹溝が形成され、前記凹溝によって分断されたランドのうちの少なくとも一つのランドが前記仮想直線に対する角度（ドリル回転方向前方側を正とする。）が−３０°〜＋３０°の範囲に存在している請求項１に記載のドリルである。
【００１０】
請求項３に係る発明は、ドリル回転方向で最も後方側に配置されたランドのドリル回転方向後方端が、前記仮想直線に対する角度（ドリル回転方向前方側を正とする。）が−３０°〜＋３０°の範囲に存在している請求項１に記載のドリルである。
【００１１】
請求項４に係る発明は、ドリル回転方向で最も後方側に配置されたランドのドリル回転方向後方端が、前記仮想直線に対する角度（ドリル回転方向前方側を正とする。）が−１０°〜＋１０°の範囲に存在している請求項３に記載のドリルである。
【００１２】
請求項５に係る発明は、ドリル回転方向で最も後方側に配置されたランドのドリル回転方向後方端が、前記仮想直線に対する角度（ドリル回転方向前方側を正とする。）が−１０°〜０°の範囲に存在している請求項３に記載のドリルである。
【発明の効果】
【００１３】
本発明に係るドリルによれば、切削抵抗によるドリル本体の撓みを効果的に抑制することから、高精度の穴明け加工が可能なドリルを提供することができる。
【図面の簡単な説明】
【００１４】
【図１】本発明の第１の実施形態に係るドリルの先端視正面図である。
【図２】図１に示すドリルの要部の側面図である。
【図３】第１の実施形態に係るドリルの変形例を説明する先端視正面図である。
【図４】本発明の第２の実施形態に係るドリルの先端視正面図である。
【図５】第２の実施形態に係るドリルの変形例を説明する先端視正面図である。
【図６】図４に示すドリルの要部の側面図である。
【発明を実施するための形態】
【００１５】
以下に、本発明の第１の実施形態に係るドリルについて、図を参照して説明する。
このドリルは、図２に図示するように中心軸線ＣＬまわりに回転されるドリル本体１０の先端部に設けた刃部１１Ａと、基端側に設けたシャンク部１１Ｂ（一部を図示する。）と、刃部１１Ａとシャンク部１１Ｂとの間に設けたテーパ状段部１１Ｃとを備えてなる。テーパ状段部１１Ｃを省略して、刃部１１Ａとシャンク部１１Ｂとが直接的に連結されてもよい。少なくとも刃部１１Ａは、超硬合金、硬質膜を被覆した超硬合金、サーメット、ダイヤモンド焼結体、工具鋼、高速度鋼等の公知材料から構成されている。
【００１６】
刃部の外周面１３には、該刃部の先端面１２から基端側に向けて螺旋状に延びる二条の主溝２０ａ、２０ｂが形成される。本実施形態では、夫々の主溝２０ａ、２０ｂは、軸直角断面形状がドリル中心に関してほぼ対称であるが、非対称であってもよい。さらに、夫々の主溝２０ａ、２０ｂは、該主溝２０ａ、２０ｂの先端縁から基端側にいくにつれドリル回転方向Ｋ後方側にねじれる、いわゆる右ねじれ溝で形成され、そのねじれ角θが３３°〜５６°の範囲となるように形成される。なお、主溝２０ａ、２０ｂの態様に関して、ねじれの有無、ねじれの向き又はねじれ角の限定はない。
【００１７】
刃部の先端面１２には、ドリル中心に関してほぼ対称的な一対の先端逃げ面１２ａ、１２ｂが形成される。これら先端逃げ面１２ａ、１２ｂは、ドリル回転方向Ｋ後方側へいくにしたがい基端側へ漸次後退する円錐面で形成されていて、被削材に対してクリアランスが確保されている。
【００１８】
各主溝２０ａ、２０ｂのドリル回転方向Ｋ前方側を向く壁面２２、３２と前記先端面１２ａ、１２ｂとの交差稜線には、ドリル本体１０の外周端まで延びる切刃２１、３１が夫々形成される。切刃２１、３１に連結する前記壁面２２、３２にはすくい面が形成される。
【００１９】
先端逃げ面１２ａ、１２ｂは、少なくとも１つの円錐面又は少なくとも１つの平坦面で構成され、穴明け加工時に被削材に接触しないように逃げ角を有している。夫々の先端逃げ面１２ａ、１２ｂが交差する稜線は、実質的にドリル本体の中心軸線ＣＬ上を通り、夫々の主溝２０ａ、２０ｂの壁面に達するチゼルエッジとなる。各チゼルエッジ２４、３４の外周端は、切刃２１、３１にそれぞれ連結して、ドリル本体の中心から外周端にわたって切刃を構成している。なお、各チゼルエッジの一部又は全部を削除するようにシンニングが設けられてもよい。この場合ドリル中心部には、シンニングによる切刃が形成される。
【００２０】
図１に図示したとおり各主溝２０ａ、２０ｂのリーディングエッジに連結する刃部の外周面１３には、その直径が前記切刃２１、３１の外径と略等しくなっており、加工穴の内周壁面に摺接可能なランド２３、３３が形成されている。
ランド２３、３３の外周面の少なくとも一部は、ドリル中心を通りかつ切刃２１に沿う方向に略直角な方向に延びる仮想直線Ａに対する角度（ドリル回転方向Ｋ前方側を正とする）が−３０°〜＋３０°の範囲、好ましくは−１０°〜＋１０°の範囲、特に好ましくは−１０°〜０°の範囲に存在する。
【００２１】
図３に例示するドリルは、第１の実施形態に係るドリルに関して、ランドの態様を変更したものである。このドリルは、ランド２３、３３の外周面の円周方向中間部に、前記外周面より内側に没入しかつ前記先端逃げ面１２ａ、１２ｂから基端側へ向かって延びる少なくとも一条の凹溝５０ａ、５０ｂが形成されている。前記凹溝５０ａ、５０ｂによって円周方向で二つに分断されたランド２３ａ、２３ｂ、３３ａ、３３ｂのうちの少なくとも一つのランド２３ｂ、３３ｂの少なくとも一部は、前記仮想直線Ａに対する角度（ドリル回転方向Ｋ前方側を正とする。）が−３０°〜＋３０°の範囲に存在する。この場合、ドリル回転方向Ｋで最も後方側に配置されたランドが前記範囲に存在することが好ましい。
【００２２】
さらに、図３に図示したように、ドリル本体１０の円周方向に離間する複数のランド２３ａ、２３ｂおよび３３ａ、３３ｂのうち、ドリル回転方向Ｋで最も後方側に配されたランド２３ｂ、３３ｂのドリル回転方向Ｋ後方端が前記範囲にあることが好ましい。一つのランド２３、３３だけで構成されたドリルにおいても、前記ランド２３、３３のドリル回転方向Ｋ最後方端は、前記仮想直線Ａに対する角度（ドリル回転方向Ｋ前方側を正とする。）が−１０°〜＋１０°の範囲、特に好ましくは−１０°〜０°の範囲に存在する。
【００２３】
これまで説明したドリルの各構成の作用および機能について以下に説明する。
図１に図示したドリルでは、二条の主溝のリーディングエッジに連結するランド２３、３３の少なくとも一部が、前記仮想直線Ａに対する角度（ドリル回転方向前方側を正とする。）が−３０°〜＋３０°の範囲に存在して、加工穴の内周壁面に摺接してドリル本体１０を支持およびガイドする機能を有することから、切刃２１、３１に沿う方向に略直角な方向に作用する切削抵抗に起因するドリル本体１０の撓みが効果的に抑制される。
【００２４】
前記ランド２３、３３の少なくとも一部が、前記仮想直線Ａに対する角度（ドリル回転方向前方側を正とする。）が−１０°〜＋１０°の範囲、特に好ましくは−１０°〜０°の範囲に存在する場合には、該ドリルの円周方向における前記ランド２３、３３と加工穴の内周壁面とが摺接する範囲が限定され、前記摺接に起因する摩擦抵抗が低減する。このため、ドリル本体の撓みを抑制する効果を維持しつつ、前記摩擦抵抗によるドリル本体への負荷および加工穴の内周壁面と面性状の悪化が抑制される。よって、高精度の穴明け加工が可能となる。
【００２５】
図３に図示したドリルでは、ランド２３、３３の外周面の円周方向中間部に設けた凹溝５０によって円周方向で二つに分断されたランドのうちの少なくとも一つのランド２３ｂ、３３ｂが、前記仮想直線Ａに対する角度（ドリル回転方向Ｋ前方側を正とする。）が−３０°〜＋３０°の範囲に存在することから、前述した、ドリル本体１０の撓みを抑制する効果を発揮する。しかも、前記凹溝５０を設けたことによりランドと加工穴の内周壁面との摺接による摩擦抵抗が大幅に低減することから、加工穴の精度および加工穴の内周壁面の面性状が著しく向上する。
【００２６】
前記凹溝５０を設けたことによる前述の効果を高める点で、前記凹溝５０の切れ上がりが中心軸線ＣＬ方向で主溝２０ａ、２０ｂの切れ上がりとほぼ等位にあることが好ましい。しかし、前記凹溝５０を設けることによってドリル本体１０の剛性低下が著しい場合は、前記凹溝５０の切れ上がりが主溝２０の切れ上がりよりも先端側に位置することが好ましい。また、凹溝５０は、ランド２３、３３の外周面の円周方向中間部に限らず、ドリル回転方向Ｋ後方側縁部に連結するように形成してもかまわない。
【００２７】
さらに、このドリルでは、ドリル回転方向Ｋで最も後方側に配されたランド２３ｂ、３３ｂのドリル回転方向Ｋ後方端が、前記仮想直線Ａに対する角度（ドリル回転方向Ｋ前方側を正とする。）が−３０°〜＋３０°の範囲に存在することから、前記ランド２３ｂ、３３ｂと加工穴の内周壁面とが摺接する範囲が限定され、前記摺接に起因する該ドリルへの負荷が減じる。しかも、前記ランド２３ｂ、３ｂのドリル回転方向Ｋ後方側に隣接する主溝２０ａ、２０ｂのヒールが過度にドリル回転方向Ｋ後方側に位置することがないので、前記主溝２０ａ、２０ｂの容積が十分に確保できて切屑排出性を悪化させることがない。
【００２８】
図４〜図６に例示するドリルは、本発明を一枚刃ドリルに適用した第２の実施形態に係るものである。図６に図示するようにこのドリルは、刃部の外周面１３に、該刃部の先端面１２から基端側に向けて螺旋状に延びる二条の主溝２０、３０が形成される。各主溝２０、３０のドリル回転方向Ｋ前方側を向く壁面２２、３２に交差する刃部の先端面１２には、逃げ角を有しドリル中心に関してほぼ対称的な一対の先端逃げ面１２ａ、１２ｂが形成されている。図４に図示するように二条の主溝のうちの一の主溝のドリル回転方向Ｋを向く前記壁面２２と、これに交差する先端逃げ面１２ａとの交差稜線には、切刃２１が形成されている。一の主溝３０の溝長Ｌ１は、加工穴の深さよりも大きくなるように適宜設定される。他の主溝のドリル回転方向Ｋを向く壁面３２は、該壁面３２と前記先端逃げ面１２ｂとの交差稜線が、前記切刃２１が形成された交差稜線をドリル中心に関して１８０°回転させた仮想稜線をすべて切り欠くようにドリル回転方向Ｋ後方側へ拡大している。このため前記壁面３２と、これに交差する先端逃げ面１２ｂとの交差稜線は、前記切刃２１より基端側へ後退しており、被削材に接触せず切削作用を有さない非切削部３１となっている。一対の先端逃げ面１２ａ、１２ｂが互いに交差する稜線には、ほぼドリル中心から外周側へ延びる一対のチゼルエッジ２４、３４が形成される。一の主溝２０側に形成されたチゼルエッジ２４と前記切刃２１とは連結しており、ドリル中心からドリル本体１０の外周端にわたって切刃が形成される。他の主溝３０側には、ドリル中心から前記他の主溝３０の壁面に達するチゼルエッジ３４のみが形成され、前記チゼルエッジ３４よりも外周側領域には切刃が一切形成されない。このように、他の主溝３０側の切削作用を有する切刃は、チゼルエッジ３４のみであることから、他の主溝の溝長Ｌ２は、一の主溝の溝長Ｌ１よりも短くなっている。
【００２９】
一の主溝２０のリーディングエッジに連結する刃部の外周面１３には、切刃２１の外径と略等しくなっており、加工穴の内周壁面に摺接可能なランド２３が形成されている。前記ランド２３の外周面の少なくとも一部は、前記切刃２１に沿う方向に略直角な方向に延びる仮想直線Ａに対する角度（ドリル回転方向Ｋ前方側を正とする）が−３０°〜＋３０°の範囲、好ましくは−１０°〜＋１０°の範囲、特に好ましくは−１０°〜０°の範囲に存在する。他の主溝３０のリーディングエッジに連結する刃部の外周面１３にも、前記ランド２３と同様に加工穴の内周壁面に摺接可能なランド３３が形成されている。一の主溝２０のリーディングエッジに連結するランド２３の外周面の円周方向の二等分点とドリル中心とを通る仮想直線を引いたとき、他の主溝３０のリーディングエッジに連結するランド３３の外周面が前記仮想直線と交差するように形成されていることが好ましい。言い換えれば、両ランド２３、３３は、ドリル中心を挟んで対向する関係にあるのが好ましい。
【００３０】
図５に示す一枚刃ドリルは、第２の実施形態に係る一枚刃ドリルに関して、ランドの態様を変更したものである。この一枚刃ドリルは、第１の実施形態に係るドリルと同様に、一の主溝２０のリーディングエッジに連結するランド２３の外周面の円周方向中間部に、前記外周面より内側に没入する凹溝５０を形成したものである。前記凹溝５０によって円周方向で二つに分断されたランド２３ａ、２３ｂのうちの少なくとも一つのランドの少なくとも一部は、前記仮想直線Ａに対する角度（ドリル回転方向Ｋ前方側を正とする。）が−３０°〜＋３０°の範囲、より好ましくは−１０°〜＋１０°の範囲、特に好ましくは−１０°〜０°の範囲に存在するものである。この場合、ドリル回転方向Ｋで最も後方側に配置されたランド２３ｂが前記範囲に存在することが好ましい。さらに、ドリル回転方向Ｋで最も後方側に配されたランド２３ｂのドリル回転方向Ｋ後方端は、前記範囲に存在している。本実施形態に限らず、ランド２３は、主溝２０のリーディングエッジに連結する刃部の外周面１３全体にわたって形成されてもよい。この場合、前記ランド２３の外周面の少なくとも一部を前記範囲に存在させればよい。特に前記ランド２３のドリル回転方向Ｋ後方端が前記範囲に存在させると特に好ましい。前述の二つに分断されたランド２３ａ、２３ｂ、および他の主溝３０のリーディングエッジに連結するランド３３は、互いに離間してドリル外周の３箇所に夫々配置される。
【００３１】
第２の実施形態に係る一枚刃ドリルの各構成の作用および機能について以下に説明する。
図４に図示した一枚刃ドリルでは、切刃２１が形成された一の主溝２０のリーディングエッジに連結するランド２３の少なくとも一部が、前記仮想直線Ａに対する角度（ドリル回転方向前方側を正とする。）が−３０°〜＋３０°の範囲に存在して、加工穴の内周壁面に摺接してドリル本体１０を支持およびガイドする機能を有することから、切刃２１に沿う方向に略直角な方向に作用する切削抵抗に起因するドリル本体１０の撓みが効果的に抑制される。切刃２１および主溝２０、３０の軸直角断面形状が非対称となるため、ドリル本体１０の撓みが生じやすい一枚刃ドリルにおいては、撓み抑制に関して顕著な効果が発揮される。
【００３２】
前記ランド２３の少なくとも一部が、前記仮想直線Ａに対する角度（ドリル回転方向前方側を正とする。）が−１０°〜＋１０°の範囲、特に好ましくは−１０°〜０°の範囲に存在する場合には、該ドリルの円周方向における前記ランド２３と加工穴の内周壁面とが摺接する範囲がさらに限定され、ドリル本体１０を支持およびガイドする作用が顕著となるとともに、ランドと加工穴の内周壁面との摺接による摩擦抵抗が低減する。これによりドリル本体１０の撓みおよび内周壁面の面性状の悪化が抑制される。よって、高精度な穴明け加工が行なえる。
【００３３】
一の主溝２０のリーディングエッジに連結するランド２３の外周面の円周方向の二等分点とドリル中心とを通る仮想直線を引いたとき、他の主溝３０のリーディングエッジに連結するランド３３の外周面が前記仮想直線と交差するように形成されていることで、両ランド２３、３３はドリル中心を挟んでほぼ対向して配置される。このため、これらランド２３、３３が加工穴の内周壁面に摺接してドリル本体１０をガイドする作用が、円周方向に均衡して得られるため、ドリルの撓みを効果的に抑制することができる。
【００３４】
図５に示すようにランド２３の外周面の円周方向中間部に設けた凹溝５０によって円周方向で二つに分断されたランドのうちの少なくとも一つのランド２３ｂが、前記仮想直線Ａに対する角度（ドリル回転方向Ｋ前方側を正とする。）が−３０°〜＋３０°の範囲に存在することから、前述したドリル本体１０の撓みを抑制する効果を発揮する。しかも、前記凹溝５０を設けたことによりランドと加工穴の内周壁面との摺接による摩擦抵抗が大幅に低減することから、加工穴の精度および加工穴の内周壁面の面性状が著しく向上する。しかも、二つに分断されたランド２３ａ、２３ｂ、および他の主溝３０のリーディングエッジに連結するランド３３は、円周方向で互いに離間して３箇所に配置され、該ドリルを３点支持することで、バランスに優れたガイド作用を発揮する。このため、ドリル本体１０の撓みを抑制する効果がきわめて高くなる。
【００３５】
前記凹溝５０を設けたことによる前述の効果を高める点で、前記凹溝５０の切れ上がりが中心軸線ＣＬ方向で前記一の主溝２０の切れ上がりとほぼ等位にあることが好ましい。しかし、前記凹溝５０を設けることによってドリル本体１０の剛性低下が著しい場合は、前記凹溝５０の切れ上がりが前記一の主溝２０の切れ上がりよりも先端側に位置することが好ましい。また、凹溝５０は、前記ランド２３の外周面の円周方向中間部に限らず、ドリル回転方向Ｋ後方側縁部に連結するように形成してもかまわない。また、他の主溝３０のリーディングエッジに連結するランド３３に凹溝５０を形成することとしてもよい。
【００３６】
さらに、このドリルでは、ドリル回転方向Ｋで最も後方側に配されたランド２３ｂのドリル回転方向Ｋ後方端が、前記仮想直線Ａに対する角度（ドリル回転方向Ｋ前方側を正とする。）が−３０°〜＋３０°の範囲、より好ましくは−１０°〜＋１０°の範囲、特に好ましくは−１０°〜０°の範囲に存在することから、前記ランド２３ｂと加工穴の内周壁面とが摺接する範囲が限定され、前記摺接に起因する該ドリルへの負荷が減じる。
【符号の説明】
【００３７】
１０  ドリル本体
１１Ａ  刃部
１１Ｂ  シャンク部
１１Ｃ  テーパ状段部
１２  刃部の先端面
１２ａ、１２ｂ  先端逃げ面
１３  刃部の外周面
２０ａ、２０ｂ  主溝
２０、一の主溝
３０  他の主溝
２１  切刃
２２  主溝のドリル回転方向前方側を向く壁面
２３、３３  主溝のリーディングエッジに連結するランド
２３ａ、２３ｂ、３３ａ、３３ｂ  凹溝によって分断されたランド
２４、３４  チゼルエッジ
３１  非切削部
５０  凹溝
ＣＬ  中心軸線
Ｋ  ドリル回転方向
Ｌ１  一の主溝の溝長
Ｌ２  他の主溝の溝長
θ  ねじれ角
【図１】
2010162645.tif 000003
【図２】
2010162645.tif 000004
【図３】
2010162645.tif 000005
【図４】
2010162645.tif 000006
【図５】
2010162645.tif 000007
【図６】
2010162645.tif 000008